(57)【要約】【課題】目に入射する光量を容易に調節可能な眼鏡を提供する。【解決手段】眼鏡１は、着用者の左右の眼に対応する透光部１５に設けられる第１調光部材２１及びこれに対向する第２調光部材３１と、これらを保持するフレーム１０及び縁部１３とを備え、第１調光部材２１は、所定の方向の透過軸を備える第１偏光層２３と、透過光に所定の位相差を付与する第１位相差層２４とを備え、第２調光部材３１は、第１偏光層２３の透過軸とは交差する方向に透過軸を備える第２偏光層３３と、透過光に所定の位相差を付与する第２位相差層３４とを備え、第１調光部材２１、第２調光部材３１のも一方が相対的にスライドされることにより、光量が調整可能である。【選択図】図１
2019133034.tif 000002
【特許請求の範囲】
【請求項１】
着用者の左右の眼に対応する透光部に設けられる第１調光部材及び前記第１調光部材に対向する第２調光部材と、これらを保持する保持部と、
を備え、
前記第１調光部材は、所定の方向の透過軸を備える第１偏光層と、透過光に所定の位相差を付与する第１位相差層とを備え、
前記第２調光部材は、前記第１偏光層の透過軸とは交差する方向に透過軸を備える第２偏光層と、透過光に所定の位相差を付与する第２位相差層とを備え、
前記第１調光部材、前記第２調光部材の少なくとも一方が相対的にスライドされることにより、光量が調整可能であること、
を特徴とする眼鏡。
【請求項２】
請求項１に記載の眼鏡において、
前記第１位相差層及び前記第２位相差層は、前記第１偏光層と前記第２偏光層との間に位置すること、
を特徴とする眼鏡。
【請求項３】
請求項１又は請求項２に記載の眼鏡において、
前記第１偏光層、前記第２偏光層のうち、光の入射側に位置する偏光層は、Ｓ波を吸収する機能を有すること、
を特徴とする眼鏡。
【請求項４】
請求項１から請求項３までのいずれか１項に記載の眼鏡において、
前記第１調光部材、前記第２調光部材のうち少なくとも一方は、ハードコート機能、紫外線遮蔽機能、防水機能、撥水機能の少なくともいずれかの機能を有する保護層を有すること、
を特徴とする眼鏡。
【請求項５】
請求項１から請求項４までのいずれか１項に記載の眼鏡において、
前記透光部の透過光量が最大となる明状態から前記透過光量が最小となる暗状態まで光量を調整する場合に、前記第１調光部材、前記第２調光部材の少なくとも一方がスライド可能なスライド量は、１５ｍｍ以下であること、
を特徴とする眼鏡。
【請求項６】
請求項１から請求項５までのいずれか１項に記載の眼鏡において、
前記第１調光部材、前記第２調光部材の少なくとも一方が前記保持部に対して着脱可能であること、
を特徴とする眼鏡。
【請求項７】
請求項１から請求項６までのいずれか１項に記載の眼鏡において、
前記第１調光部材と、前記第２調光部材と、前記保持部とを備える調光機能部が、眼鏡本体に着脱可能に設けられていること、
を特徴とする眼鏡。
【請求項８】
請求項１から請求項５までのいずれか１項に記載の眼鏡において、
前記第１調光部材、前記第２調光部材のうち一方は、眼鏡本体のレンズに貼合され、他方は、一方に対して密着層を介して相対的にスライド可能に密着されていること、
を特徴とする眼鏡。
【請求項９】
眼鏡本体に着脱可能であり、
着用者の左右の眼に対応する透光部に設けられる第１調光部材及び前記第１調光部材に対向する第２調光部材と、これらを保持する保持部と、
を備え、
前記第１調光部材、前記第２調光部材の少なくとも一方が相対的にスライドされることにより、光量が調整可能であること、
を特徴とする調光ユニット。
【請求項１０】
請求項９に記載の調光ユニットであって、
前記第１調光部材、前記第２調光部材の少なくとも一方が前記保持部に対して着脱可能であること、
を特徴とする調光ユニット。
【請求項１１】
第１調光部材と、前記第１調光部材に対向する第２調光部材とを備える調光ユニットであって、
前記第１調光部材、前記第２調光部材の少なくとも一方が相対的にスライドされることにより、光量が調整可能であり、
前記第１調光部材、前記第２調光部材のうち一方は、眼鏡本体のレンズに貼合可能であり、他方は、一方に対して密着層を介して相対的にスライド可能に密着されること、
を特徴とする調光ユニット。
【請求項１２】
着用者の左右の眼に対応する透光部に設けられる第１調光部材及び前記第１調光部材に対向する第２調光部材を保持する眼鏡フレームであって、
前記第１調光部材、前記第２調光部材の少なくとも一方が相対的にスライドされることにより、光量が調整可能であり、
前記第１調光部材及び前記第２調光部材の少なくとも一部がそれぞれ挿入される溝部を備え、少なくとも一方の溝部は、保持する調光部材をスライド可能に保持すること、
を特徴とする眼鏡フレーム。
【請求項１３】
請求項１２に記載の眼鏡フレームであって、
前記第１調光部材、前記第２調光部材の少なくとも一方が着脱可能な挿入孔を備えること、
を特徴とする眼鏡フレーム。
【発明の詳細な説明】
【技術分野】
【０００１】
本発明は、目に入射する光量調節が可能な眼鏡、調光ユニット、眼鏡フレームに関するものである。
【背景技術】
【０００２】
従来、スポーツ時や運転時等において、目に入射する光量を調整する目的で、サングラスが使用されている。このサングラスは、偏光板を備えたものが一般的であり、偏光板により、光量を一定量抑えることは可能であるが、光量を所望の量に自在に調整することは不可能であった。
【０００３】
このような課題を解決するために、例えば、特許文献１に示すように、偏光板を対向させて２枚配置し、一方を回転させることで、目に入射する光量を調整可能とした眼鏡等も開発されている。
【先行技術文献】
【特許文献】
【０００４】
【特許文献１】特開平９−１５５４２号公報
【発明の概要】
【発明が解決しようとする課題】
【０００５】
しかし、上述のような眼鏡では、光量を調節するために、一方の偏光板を回転させる必要があり、偏光板の操作量（回転量）が大きかったり、回転の為の構造が複雑となったりするという問題があった。
【０００６】
本発明の課題は、目に入射する光量を容易に調節可能な眼鏡を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
第１の発明は、着用者の左右の眼に対応する透光部（１５）に設けられる第１調光部材（２１）及び前記第１調光部材に対向する第２調光部材（３１）と、これらを保持する保持部（１１，１３）と、を備え、前記第１調光部材は、所定の方向の透過軸を備える第１偏光層（２３）と、透過光に所定の位相差を付与する第１位相差層（２４）とを備え、前記第２調光部材は、前記第１偏光層の透過軸とは交差する方向に透過軸を備える第２偏光層（３３）と、透過光に所定の位相差を付与する第２位相差層（３４）とを備え、前記第１調光部材、前記第２調光部材の少なくとも一方が相対的にスライドされることにより、光量が調整可能であること、を特徴とする眼鏡（１，２，３，４）である。
第２の発明は、第１の発明の眼鏡において、前記第１位相差層（２４）及び前記第２位相差層（３４）は、前記第１偏光層（２３）と前記第２偏光層（３４）との間に位置すること、を特徴とする眼鏡（１，２，３，４）である。
第３の発明は、第１の発明又は第２の発明の眼鏡において、前記第１偏光層（２３）、前記第２偏光層（３３）のうち、光の入射側に位置する偏光層は、Ｓ波を吸収する機能を有すること、を特徴とする眼鏡（１，２，３，４）である。
第４の発明は、第１の発明から第３の発明までのいずれかの眼鏡において、前記第１調光部材（２１）、前記第２調光部材（３１）のうち少なくとも一方は、ハードコート機能、紫外線遮蔽機能、防水機能、撥水機能の少なくともいずれかの機能を有する保護層を有すること、を特徴とする眼鏡（１，２，３，４）である。
第５の発明は、第１の発明から第４の発明までのいずれかの眼鏡において、前記透光部（１５）の透過光量が最大となる明状態から前記透過光量が最小となる暗状態まで光量を調整する場合に、前記第１調光部材、前記第２調光部材の少なくとも一方がスライド可能なスライド量（Ｄ）は、１５ｍｍ以下であること、を特徴とする眼鏡（１，２，３，４）である。
第６の発明は、第１の発明から第５の発明までのいずれかの眼鏡において、前記第１調光部材（２１）、前記第２調光部材（３１）の少なくとも一方が前記保持部（１１，１３）に対して着脱可能であること、を特徴とする眼鏡（２，３，４）である。
第７の発明は、第１の発明から第６の発明までのいずれかの眼鏡において、前記第１調光部材（２１）と、前記第２調光部材（３１）と、前記保持部（１１，１３）とを備える調光機能部（２００）が、眼鏡本体（１００）に着脱可能に設けられていること、を特徴とする眼鏡（３）である。
第８の発明は、第１の発明から第５の発明までのいずれかの眼鏡において、前記第１調光部材（２１）、前記第２調光部材（３１）のうち一方は、眼鏡本体のレンズ（４００）に貼合され、他方は、一方に対して密着層を介して相対的にスライド可能に密着されていること、を特徴とする眼鏡（４）である。
第９の発明は、眼鏡本体（１００）に着脱可能であり、着用者の左右の眼に対応する透光部（１５）に設けられる第１調光部材（２１）及び前記第１調光部材に対向する第２調光部材（３１）と、これらを保持する保持部（１１，１３）と、を備え、前記第１調光部材、前記第２調光部材の少なくとも一方が相対的にスライドされることにより、光量が調整可能であること、を特徴とする調光ユニット（２００）である。
第１０の発明は、第９の発明の調光ユニットであって、前記第１調光部材（２１）、前記第２調光部材（３１）の少なくとも一方が前記保持部（１１，１３）に対して着脱可能であること、を特徴とする調光ユニット（２００）である。
第１１の発明は、第１調光部材（２１）と、前記第１調光部材に対向する第２調光部材（３１）とを備える調光ユニットであって、前記第１調光部材、前記第２調光部材の少なくとも一方が相対的にスライドされることにより、光量が調整可能であり、前記第１調光部材、前記第２調光部材のうち一方は、眼鏡本体のレンズ（４００）に貼合可能であり、他方は、一方に対して密着層（４０２）を介して相対的にスライド可能に密着されること、を特徴とする調光ユニット（４２０）である。
第１２の発明は、着用者の左右の眼に対応する透光部（１５）に設けられる第１調光部材（２１）及び前記第１調光部材に対向する第２調光部材（３１）を保持する眼鏡フレーム（１０）であって、前記第１調光部材、前記第２調光部材の少なくとも一方が相対的にスライドされることにより、光量が調整可能であり、前記第１調光部材及び前記第２調光部材の少なくとも一部がそれぞれ挿入される溝部（１３ａ，１３ｂ）を備え、少なくとも一方の溝部は、保持する各調光部材をスライド可能に保持すること、を特徴とする眼鏡フレーム（１０）である。
第１３の発明は、第１２の発明の眼鏡フレームであって、前記第１調光部材（２１）、前記第２調光部（３１）の少なくとも一方が着脱可能な挿入孔（１７）を備えること、を特徴とする眼鏡フレーム（１０）である。
【発明の効果】
【０００８】
本発明によれば、目に入射する光量を容易に調節可能な眼鏡を提供することができる。
【図面の簡単な説明】
【０００９】
【図１】第１実施形態の眼鏡１の斜視図である。
【図２】第１実施形態の眼鏡１のフレーム１０内に配置される第１調光部材２１と第２調光部材３１との形状を示す平面図である。
【図３】図１に示す矢印Ａ１−Ａ２での第１実施形態の眼鏡１の断面図である。
【図４】第１調光部材２１と第２調光部材３１との分解斜視図である。
【図５】第１位相差層２４、第２位相差層３４の調光領域Ａを説明する図である。
【図６】暗状態、明状態における眼鏡１における光の透過状態を示す図である。
【図７】第２実施形態の眼鏡２の斜視図である。
【図８】第２実施形態の眼鏡２の各部の断面図である。
【図９】第３実施形態の眼鏡３を説明する図である。
【図１０】第４実施形態の眼鏡４を説明する図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１１】
本明細書中に記載する各部材の材料名等は、実施形態としての一例であり、これに限定されるものではなく、適宜選択して使用してよい。
本明細書中において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
【００１２】
（第１実施形態）
図１は、第１実施形態の眼鏡１を示す斜視図である。
図２は、第１実施形態の眼鏡１のフレーム１０内に配置される第１調光部材２１と第２調光部材３１との形状を示す平面図である。図２中に破線で示す領域は、後述する透光部１５に相当する領域である。
図３は、図１に示す矢印Ａ１−Ａ２での第１実施形態の眼鏡１の断面図である。
眼鏡１は、フレーム１０と、フレーム１０に設けられ、着用者の左右の眼にそれぞれ対応する２つの透光部１５とを備えている。
フレーム１０は、樹脂製、木製、金属製等であり、フロント部１１と、フロント部１１の両端から延び、着用者の耳に掛けられるテンプル部（つる部）１２とを備えている。
以下の説明において、理解を容易にするために、図１に示すように、着用時の眼鏡１の左右方向をＸ方向、上下方向をＹ方向、前後方向をＺ方向とする。すなわち、着用者にとって、左右方向において右側をＸ１側、左側をＸ２側とし、上下方向において上側をＹ１側、下側をＹ２側、前後方向において前方側（外界側）をＺ２側とし、後方側（着用者の眼側）をＺ１側とする。
【００１３】
フロント部１１は、透光部１５の少なくとも一部を囲む２つの縁部１３と、透光部１５に設けられ、２つの縁部１３を連結するブリッジ部１４とを備えている。
また、縁部１３の上部側（Ｙ１側）の端面には、スライド孔１６が設けられている。本実施形態では、着用者の左目側（Ｘ２側）に左右方向（Ｘ方向）を長手方向とする長円形状に設けられている例を示す。なお、これに限らず、スライド孔１６及び後述の凸部３６は、右目側（Ｘ１側）に設けられていてもよいし、スライド孔１６の形状も矩形形状等、適宜選択してよい。
【００１４】
透光部１５には、第１調光部材２１及び第２調光部材３１が設けられている。
第１調光部材２１は、縁部１３によってその位置が固定されて保持されている。本実施形態では、第１調光部材２１は、その平面視が矩形状である例を示したが、これに限らず、多角形形状や、円形形状、楕円形形状等としてもよい。
第２調光部材３１は、第１調光部材２１よりも着用者側（Ｚ１側）となる位置に設けられ、縁部１３において左右方向（Ｘ方向）にスライド可能（移動可能）に保持されている。本実施形態では、第２調光部材３１は第１調光部材２１よりも着用者側となる位置に設けられる例を示したが、これに限らず、第１調光部材２１よりも前方側（Ｚ２側）となる位置に設けてもよい。また、本実施形態では、第２調光部材３１は、その平面視が矩形状である例を示したが、これに限らず、第１調光部材２１と同様に、多角形形状や、円形形状、楕円形形状等としてもよい。
【００１５】
第２調光部材３１は、さらに、フロント部１１のブリッジ部１４内に左右方向にスライド可能に設けられる連結部３５を備えており、左右の第２調光部材３１は連結されている。
また、一方（本実施形態では着用者の左目側（Ｘ２側））の第２調光部材３１の上側（Ｙ１側）には、操作用の凸部３６を備えている。この凸部３６は、第２調光部材３１の上側端部に設けられ、上側へ凸となっており、フレーム１０のスライド孔１６から一部がフレーム部の外側へ突出している。
着用者は、このスライド孔１６から突出した凸部３６の一部を指等で左右方向に動かすことにより、連結部３５で連結された２枚の第２調光部材３１を左右方向（Ｘ方向）に一体にスライド可能であり、所望の位置で停止可能である。
本実施形態では、凸部３６は、円柱状である例を示したが、凸部３６の形状等は、操作性等を考慮して適宜選択してよい。
【００１６】
図３に示すように、フロント部１１の縁部１３内には、第１調光部材２１及び第２調光部材３１を収納可能な溝１３ａ，１３ｂが設けられている。溝１３ａと溝１３ｂとの間には、第１調光部材２１と第２調光部材３１との間の距離を一定に保ち、両者の接触による擦れ等を防ぐ凸状の仕切り部１３ｃが設けられている。
【００１７】
また、図３に示すように、第２調光部材３１の上側（Ｙ１側）及び下側（Ｙ２側）の端部（辺）には、スライダ３７が貼り付けられている。
スライダ３７は、第２調光部材３１と、これらを保持する縁部１３の溝１３ｂとが接触する部分の滑りやすさを調整するための部材である。また、スライダ３７は、第２調光部材３１が、風、振動等により不用意に移動して調光状態が変化することを抑制するために、第２調光部材３１と溝１３ｂとの間に適度な摩擦力を付与する機能を有する。さらに、スライダ３７は、第２調光部材３１の上下端部保護し、左右方向の摺動による傷の発生を抑制する機能を有する。
なお、これに限らず、縁部１３が薄く、溝１３ｂの大きさが小さい場合や、第２調光部材３１の上下端部の保護が不要な場合等は、上述のスライダ３７を設けない形態としてもよい。
【００１８】
本実施形態では、透光部１５には、第１調光部材２１及び第２調光部材３１が設けられる形態を示したが、第１調光部材２１の前方側（Ｚ２側）や第２調光部材３１の後方側（Ｚ１側）に、ガラス製や樹脂製等の不図示のレンズを備える形態としてもよい。このレンズは、着用者の視力を矯正する機能を有していてもよい。
なお、第１調光部材２１と前方側のレンズ、第２調光部材３１と後方側のレンズとは、透光性を有する接着剤等によって接合されていてもよい。また、このようなレンズを備える場合には、光量調節の精度を高める観点から、第１調光部材２１と第２調光部材３１との間にはレンズを配置せず、第１調光部材２１と第２調光部材３１とを近接させて配置することが好ましい。
【００１９】
本実施形態の眼鏡１は、上述のように、着用者が凸部３６を摘まむ等して、第２調光部材３１を左右方向（Ｘ方向）に所望の量だけスライド（移動）させて、第１調光部材２１との重なり合う部位を変化させることにより、光の入射光量を調節できる。
【００２０】
以下、第１調光部材２１及び第２調光部材３１の詳細について説明する。
図４は、第１調光部材２１と第２調光部材３１との分解斜視図である。
第１調光部材２１は、前方側（Ｚ２側）から順に、第１透明基材２２、第１偏光層２３、第１位相差層２４を備え、これらが一体に積層されている。なお、第１位相差層２４の後方側（Ｚ１側）の表面に、第１位相差層２４を保護する不図示の保護層として、ハードコート機能を有する層等を設けてもよい。また、第１透明基材２２の前方側の表面にも、ハードコート機能や、防水機能、撥水機能、紫外線を吸収又は反射して遮蔽する紫外線遮蔽機能等を有する不図示の保護層を設けてもよい。
第１透明基材２２は、透明なシート状の部材であり、アクリル、ポリカーボネート（ＰＣ）等の樹脂やガラスにより形成されている。第１透明基材２２は、例えば、着用者の視力を矯正する機能を有する、いわゆるレンズ機能を備える部材としてもよい。なお、この第１透明基材２２及び後述する第２透明基材３２は、異方性を有しないことが好ましい。
【００２１】
第１偏光層２３は、直線偏光板として機能する光学機能層であり、透過軸に平行な直線偏光成分を高い透過率で透過し、透過軸に直交する直線偏光成分を吸収又は反射する機能を有する。第１偏光層２３は、例えば、ポリビニルアルコール（ＰＶＡ）によるフィルム材に、ヨウ素化合物分子を吸着配向させることにより作製される。
なお、第１調光部材２１は、上記第１偏光層２３を備えていればよく、例えば、トリアセチルセルロース（ＴＡＣ）等による透明な基材により第１偏光層２３を挟持した第１直線偏光板２３Ａを備える形態としてもよい。このとき、第１直線偏光板２３Ａは、第１透明基材２２の後方側（Ｚ１側）の面に光硬化性樹脂等の接着剤層により接合して積層してもよい。
また、第１調光部材２１は、上述のＴＡＣ等の透明な基材を省略して、第１偏光層２３のみを第１透明基材２２の後方側（Ｚ１側）に配置してもよい。
【００２２】
第１偏光層２３は、物体からの反射光に多く含まれＳ波を吸収するように、その透過軸を配置することが好ましい。なお、第１偏光層２３の透過軸の向きは、これに限定されず、使用環境等に応じて、適宜選択してよい。図４中には、第１偏光層２３及び後述の第２偏光層３３の透過軸を矢印で模式的に示している。
また、第１偏光層２３（第１直線偏光板２３Ａ）としては、上記の例に限らず、例えば、ワイヤーグリッド型の直線偏光板、塗工型の直線偏光板等、種々の構成を適用できる。
【００２３】
第１位相差層２４は、第１偏光層２３に積層され、透過光に所定の位相差を付与する層である。
第１位相差層２４は、ＴＡＣ等による透明フィルム材にパターンニング等により配向層を作製し、この配向層の配向規制力により液晶材料を配向させた状態で硬化させることにより形成される。このＴＡＣ等による透明フィルム材に第１位相差層２４が形成された状態のものを第１位相差フィルム２４Ａという。
第１調光部材２１は、第１位相差層２４を備えていればよく、第１位相差フィルム２４Ａを光硬化性樹脂等の接着剤層により第１偏光層２３に貼合して積層してもよいし、第１位相差フィルム２４Ａを、第１偏光層２３に積層した後、ＴＡＣ等による透明フィルム材を剥離して取り除き、第１位相差層２４のみを第１偏光層２３に積層してもよい。
第１位相差層２４は、複数の調光領域Ａを備えている。この調光領域Ａについては詳細を後述する。
【００２４】
なお、配向層は、ラビング処理により作製してもよく、光配向層を適用してもよく、賦型処理によりライン状凹凸形状を成形することにより作製してもよい。
第１位相差層２４は、透過光に１／４波長ないし１／２波長の位相差を付与する位相差層である。なお、第１位相差層２４は、実用上十分な範囲で上記波長とは異なる位相差を付与するように、その厚みを調整してもよい。
【００２５】
第２調光部材３１は、第１調光部材２１と略同様の構成を備えているが、前後方向（Ｚ方向）における各層の位置が異なる。第２調光部材３１は、前方側（第１調光部材２１側、Ｚ２側）から順に、第２位相差層３４（第２位相差フィルム３４Ａ）、第２偏光層３３（第２直線偏光板３３Ａ）、第２透明基材３２が積層されている。
第２位相差層３４、第２透明基材３２は、それぞれ、第１位相差層２４、第１透明基材２２と同様の構成である。なお、第１透明基材２２がレンズ機能を備える場合は、第２透明基材３２は、レンズ機能を有しない形態とすることが好ましい。また、第１透明基材２２がレンズ機能を備えず、第２透明基材３２が、レンズ機能を備える形態としてもよい。
【００２６】
第２偏光層３３は、第１偏光層２３と同様の部材であるが、光の進行方向から見て、第２偏光層３３の透過軸は、第１偏光層２３の透過軸と直交するように設けられている点が異なる。すなわち、第１偏光層２３及び第２偏光層３３は、互いにクロスニコルの関係となるように配置されている。なお、所望する透光部１５の調光機能に応じて（透明と黄色や紫色等の所望の有彩色とを切り替える場合等）上記クロスニコル配置に限らず、第１偏光層２３及び第２偏光層３３は、その透過軸が平行となるように配置されてもよい。
【００２７】
なお、本実施形態では、第１調光部材２１は、第１透明基材２２を備える形態を示したが、これに限らず、第１偏光層２３及び第１位相差層２４を備える積層体が十分な剛性を有する場合や、不図示のレンズに貼合する場合等には、第１透明基材２２を備えない形態としてもよい。
同様に、第２調光部材３１は、第２偏光層３３及び第２位相差層３４を備える積層体が十分な剛性を有する場合や、不図示のレンズに貼合する場合等には、第２透明基材３２を備えない形態としてもよい。
また、第１透明基材２２、第２透明基材３２のいずれか一方のみを備える形態としてもよい。
【００２８】
図５は、第１位相差層２４、第２位相差層３４の調光領域Ａ、領域Ｂを説明する図である。図５（ａ）は、調光領域Ａを示し、図５（ｂ）は、調光領域Ａを構成する領域Ｂを示している。なお、図５（ｂ）においては、領域Ｂに示す線分により、その領域Ｂにおける遅相軸の向きを示している。
図５に示すように、第１位相差層２４、第２位相差層３４は、上下方向（Ｙ方向）を長手方向とし、左右方向（Ｘ方向、第２調光部材３１のスライド方向）を配列方向として、複数の調光領域Ａが配列されている。
【００２９】
この調光領域Ａは、多数種類の領域Ｂを備えている。領域Ｂは、長手方向を上下方向（Ｙ方向）とし、配列方向を左右方向（Ｘ方向、第２調光部材３１のスライド方向）として配列されている。第１調光部材２１及び第２調光部材３１において、調光領域Ａの幅Ｗａは等しく、領域Ｂの幅Ｗｂ及び１つの調光領域Ａに設けられる領域Ｂの数も等しい。
領域Ｂの幅Ｗｂは、調光領域Ａにおける領域Ｂの数にも依るが、可能な限り小さいことが、着用者が眼鏡１を通して視認する景色の色調の均一性を向上でき、調光領域Ａ等が筋状に視認されにくくなるという観点から好ましい。
【００３０】
本実施形態では、調光領域Ａは、複数の領域Ｂを有し、複数の領域Ｂにおける遅相軸は、左右方向（Ｘ方向、第２調光部材３１のスライド方向）に沿って、所定の角度ずつ変化している。すなわち、１つの調光領域Ａにおける領域Ｂの遅相軸は、第２調光部材３１のスライド方向（Ｘ方向）に沿って、多階調的に変化しており、領域Ｂの遅相軸の変化の周期の１周期分が、１つの調光領域Ａに相当している。このような第１位相差層２４及び第２位相差層３４は、例えば、階調型の位相差層と呼ばれる。
また、本実施形態のように調光領域Ａが多階調である場合には、第１位相差層２４及び第２位相差層３４が透過光に付与する位相差は、λ／２であることが好ましい。
【００３１】
以下、眼鏡１における調光方法について説明する。
本実施形態では、第１位相差層２４が、例えば、λ／２板で構成され、光の偏光状態を制御可能となっている階調型の例について記載する。この場合、可視光領域の或る波長におけるリタデーションがλ／２となるように構成されており、例えば、第１位相差層２４の波長５５０ｎｍにおけるリタデーションがλ／２となるように位相差が設定されていてもよい。第２位相差層３４は、例えば、第１位相差層２４と同様に構成される。
【００３２】
図６は、暗状態、明状態における眼鏡１における光の透過状態を示す図である。図６（ａ）は、暗状態を示し、図６（ｂ）は、明状態を示し、図６（ｃ）は、中間状態の一例を示している。
なお、以下の説明及び図６では、一例として、第１偏光層２３の透過軸方向と第１位相差層２４及び第２位相差層３４の遅相軸のなす角度が０°以上１８０°未満の範囲で段階的に変化している形態を示している。この図６において、領域Ｂの遅相軸の角度変化のステップ（変化量）は一定であるとしているが、一定でなくともよい。また、隣り合う領域Ｂ間での遅相軸の角度の変化量も、図６に示す変化量に限定されない。さらに、以下の説明及び図６において、第１位相差層２４及び第２位相差層３４の遅相軸が第１偏光層２３の透過軸となす角度は、例示的に示したものであり、これに限定されるものではない。
また、図６において示す矢印Ｔ１，Ｔ２は、それぞれ、第１偏光層２３，第２偏光層３３の透過軸の方向を示している。また、図６において、第１位相差層２４及び第２位相差層３４内に示す矢印は、領域Ｂの遅相軸の方向を示している。また、図６において、第１偏光層２３と第１位相差層２４の間、第１位相差層２４と第２位相差層３４との間、第２位相差層３４と第２偏光層３３との間、第２偏光層３３のＺ１側にそれぞれ示される矢印は、その位置における光の振動方向を示している。
【００３３】
本実施形態の眼鏡１では、第２調光部材３１をスライドさせて、第１位相差層２４と第２位相差層３４との相対位置を変化させることにより、第１位相差層２４の調光領域Ａと、これに対応する第２位相差層３４の調光領域Ａとの重なる位置（Ｚ方向において対応する領域Ｂ）が変化する。これにより、着用者は、眼鏡１に入射してきた光の透過率を徐々に変化させることが可能となる。
【００３４】
まず、図６（ａ）に示す暗状態について説明する。
図６（ａ）では、第１位相差層２４の調光領域Ａにおいて、遅相軸の角度が０°、２２．５°、４５°、・・・である領域Ｂが、それぞれ、第２位相差層３４の調光領域Ａにおいて遅相軸の角度が９０°、１１２．５°、１３５°、・・・である領域Ｂと対向している状態となっている。
眼鏡１に、第１調光部材２１側から光が入射する。第１透明基材２２を透過した光は、第１偏光層２３により、その透過軸に平行な方向を光の振動方向とする直線偏光となる。
第１偏光層２３を透過した偏光成分の光の振動方向は、第１位相差層２４の各領域Ｂを透過することによって、それぞれ０°、４５°、９０°・・・と回転する。
【００３５】
そして、振動方向が０°の光が第２位相差層３４の遅相軸９０°の領域Ｂを通過すると、入射光の偏光軸と遅相軸のなす角度の２倍分、偏光角が回転する。ここでは、偏光角は、入射光と遅相軸のなす角度の２倍分となる１８０°回転し、振動方向は１８０°となる。
また、振動方向が４５°の光が第２位相差層３４の遅相軸１１２．５°の領域Ｂを通過すると、入射光の偏光角と遅相軸の関係より１３５°回転し、その振動方向は１８０°となる。
さらに、振動方向が９０°の光が第２位相差層３４の遅相軸１３５°の領域Ｂを通過すると、入射光の偏光角と遅相軸の関係より９０°回転し、その振動方向も１８０°と変化する。
【００３６】
このように、第２位相差層３４を透過した光は、その偏光方向が全て０°又は１８０°となり、第２偏光層３３の透過軸の方向と直交するため、第２偏光層３３によって遮断される。
したがって、図６（ａ）に示す第１調光部材２１と第２調光部材３１との位置関係においては、眼鏡１（透光部１５）の透過光量が最小となる暗状態となる。この状態では、外部の観察者から見て、透光部１５は、黒色に観察される。
【００３７】
次に、図６（ｂ）に示す明状態について説明する。
着用者が第２調光部材３１を左右方向にスライドさせ、第１調光部材２１と第２調光部材３１との相対位置が図６（ｂ）に示す状態となったとする。本実施形態では、暗状態から明状態までの第２調光部材３１のスライド量は、調光領域Ａの幅Ｗａの１／４（領域Ｂの多階調変化の１／４周期分）に相当する。
図６（ｂ）では、例えば、第１位相差層２４の調光領域Ａにおいて、遅相軸の角度が０°、２２．５°、４５°、６７．５°、９０°・・・である領域Ｂが、それぞれ、第２位相差層３４の調光領域Ａにおいて、遅相軸が４５°、６７．５°、９０°、１１２．５°、１３５°、・・・である領域Ｂと対向している状態となっている。
【００３８】
前述のように、眼鏡１に第１調光部材２１側から入射した光は、第１偏光層２３により、その透過軸に平行な方向を振動方向とする直線偏光となる。
第１偏光層２３を透過した偏光成分の光の振動方向は、第１位相差層２４の各領域Ｂを透過することによって、それぞれ０°、４５°、９０°、１３５°、１８０°、・・・と回転する。
そして、振動方向が０°の光が第２位相差層３４の遅相軸４５°の領域Ｂを通過すると、入射偏光角と遅相軸の関係より９０°回転し、その振動方向は９０°となる。振動方向が４５°の光が第２位相差層３４の遅相軸６７．５°の領域Ｂを通過すると、その振動方向が９０°となる。振動方向が９０°の光が第２位相差層３４の遅相軸９０°の領域Ｂを通過すると、その振動方向が９０°となる。また、振動方向が１３５°の光が第２位相差層３４の遅相軸１１２．５°の領域Ｂを通過すると、その振動方向が９０°となる。振動方向が１８０°の光が第２位相差層３４の遅相軸１３５°の領域Ｂを通過すると、その振動方向が９０°となる。
【００３９】
このように、第２位相差層３４を透過した光は、その偏光方向が全て９０°又は２７０°となり、第２偏光層３３の偏光方向と平行となるので、第２偏光層３３をそのまま透過する。
したがって、図６（ｂ）に示す第１調光部材２１と第２調光部材３１との位置関係においては、眼鏡１（透光部１５）の透過光量が最大となる明状態となる。
【００４０】
次に、暗状態と明状態の中間状態について説明する。
着用者が第２調光部材３１を左右方向にスライドさせ、第１調光部材２１と第２調光部材３１との相対位置が、図６（ａ），（ｂ）の間の位置になるように配置された場合、暗状態と明状態の間の透明状態になる。このとき、眼鏡１（透光部１５）を透過する光の透過光量は、明状態と暗状態との中間値を取り、中間状態となる。
【００４１】
上述のように、本実施形態の眼鏡１では、第１調光部材２１、第２調光部材３１の各変調領域の重なり合いを、第２調光部材３１を左右方向（Ｘ方向）へスライドさせて変化させることにより、透光部１５の透過光量（着用者の目に入射する光量）を変化させることができる。
本実施形態では、明状態から暗状態への第２調光部材３１（凸部３６）のスライド量（移動量）Ｄは、調光領域Ａの幅Ｗａの１／４である。このスライド量Ｄは、１つの調光領域Ａにおける領域Ｂの数や幅Ｗｂにより任意に調整可能である。本実施形態では、着用者は、凸部３６を１５ｍｍ以下のわずかな量だけスライドさせることにより、容易に明状態から暗状態へ光量を変化させることができる。
【００４２】
本実施形態によれば、第１調光部材２１及び第２調光部材３１において、順次段階的に、また循環的に領域Ｂの遅相軸の方向が変化しているため、第２調光部材３１のスライド量Ｄに応じて、連続的に眼鏡１の透光部１５における透過光量（着用者の目に入射する光量）を容易に、かつ簡単な構成で変化させることができる。
また、本実施形態によれば、第１実施形態の眼鏡１は、第２調光部材３１をスライドさせることにより、眼鏡１（透光部１５）の透過光量の調節を行うことができ、しかも、暗状態、明状態だけでなく、連続的に所望の明るさに変化させることができ、容易に所望の明るさ（光量）とすることができる。また、これにより、着用者が眼鏡１を着用したまま暗い屋内に入った場合等にも、容易に光量を調整できるので、眼鏡１を外す必要がない。さらに、１つの眼鏡１で、様々な所望の明るさとできるので、複数個の眼鏡を所持する必要がない。
【００４３】
（第２実施形態）
図７は、第２実施形態の眼鏡２の斜視図である。
図８は、第２実施形態の眼鏡２の各部の断面図である。図８（ａ）は、図７に示す矢印Ｂ１−Ｂ２での断面を、図８（ｂ）は、図７に示す矢印Ｃ１−Ｃ２での断面を、それぞれ模式的に示している。なお、図８（ｂ）では、理解を容易にするために、ブリッジ部１４内の連結部３５は省略している。
第２実施形態に示す眼鏡２は、汎用の眼鏡本体１００に、調光可能な調光部２００を着脱可能に設けた形態である。この第２実施形態を含め、以下に示す第３、第４実施形態において、第１実施形態と同様の機能を果たす部分には、同一の符号を付して、重複する説明を適宜省略する。
【００４４】
第２実施形態の眼鏡２は、調光機能を有しない汎用の眼鏡である眼鏡本体１００と、この眼鏡本体１００に着脱可能に設けられた調光部２００とを備えている。
調光部２００は、前述の第１実施形態の眼鏡１のフロント部１１のみの形態に相当し、ブリッジ部１４に、眼鏡本体１００のフロント部１１０のブリッジ部１１４に取り付け可能な取付け部２１０を備えている。
本実施形態の取付け部２１０は、図８（ｂ）に示すように、眼鏡本体１００のブリッジ部１１４に係合可能となるように後方（Ｚ１側）及び下方（Ｙ２側）へ延びる係合部２１１と、その先端に設けられ、調光部２００が眼鏡本体１００から脱落するのを防止する爪部２１２とを備えている。
なお、取付け部２１０の形態は、これに限定されるものではなく、クリップ方式等、汎用のものを適宜採用してよい。
【００４５】
本実施形態では、調光部２００は、前述の第１実施形態の眼鏡１のフロント部１１のみの形態に相当する例を挙げて説明したが、フロント部１１及びテンプル部１２を備え、汎用の眼鏡本体１００より一回り大きい形態とし、眼鏡本体１００を着用した上から調光部２００を着用可能な形態としてもよい。
また、調光部２００は、眼鏡本体１００に取り付けた状態で、上方（Ｙ１側）へ跳ね上げ可能な形態としてもよい。
【００４６】
図８（ａ）に示すように、調光部２００の透光部１５には、第１調光部材２１及び第２調光部材３１が配置され、第１実施形態と同様に、第２調光部材３１を左右方向（Ｘ方向）へスライドさせることにより、着用者の目に入射する光量（透光部１５を当する光量）を調整可能である。
本実施形態によれば、第１実施形態に示した効果に加え、着用者が従来使用している眼鏡を眼鏡本体１００とし、その眼鏡に調光機能を付与することができる。
【００４７】
（第３実施形態）
図９は、第３実施形態の眼鏡３を説明する図である。図９では、理解を容易にするために、フロント部１１のみを示し、テンプル部１２を省略して示している。図９（ａ）は、第３実施形態の眼鏡３のフロント部１１の斜視図であり、図９（ｂ）は、図９（ａ）に示す矢印Ｄ１−Ｄ２での断面図である。
第３実施形態の眼鏡３は、第１調光部材２１があらかじめ設けられており、第２調光部材３１をフレーム１０のフロント部１１に着脱可能である点が、前述の第１実施形態とは異なる以外は、第１実施形態の眼鏡１と同様の形態である。
本実施形態のフロント部１１には、溝１３ｂの上側（Ｙ１側）に、第２調光部材３１を挿入可能な開口部１７が設けられている。また、フロント部１１の上側には、この開口部１７を被覆し、ゴミや埃等の異物や雨水等の侵入を防ぐ蓋部１８が設けられている。蓋部１８には、凸部３６に対応する部分にスライド孔１６が設けられている。
【００４８】
本実施形態によれば、第１実施形態に示した効果に加えて、必要な状況に応じて調光機能を備える眼鏡３と、調光機能を有しない眼鏡とを容易に切り替えることができる。
なお、上記第３実施形態では、第２調光部材３１をフロント部１１から着脱可能である形態を示したが、これに限らず、第１調光部材２１がフロント部１１から着脱可能である形態としてもよいし、第１調光部材２１及び第２調光部材３１の双方がフロント部１１から着脱可能である形態としてもよい。また、第１調光部材２１は、左右方向（Ｘ方向）にスライド可能な形態とし、フロント部１１に着脱可能な第２調光部材３１は、フレーム１０のフロント部１１に挿入した状態で固定される形態としてもよい。
【００４９】
また、前述の第２実施形態においても、上述の第３実施形態に示すように、調光部２００から、第２調光部材３１又は第１調光部材２１の少なくとも一方が着脱可能である形態としてもよい。
【００５０】
（第４実施形態）
図１０は、第４実施形態の眼鏡４を説明する図である。図１０では、理解を容易にするためにフレーム１０等は省略し、一方の透光部１５における前後方向（Ｚ方向）の層構成のみを示している。
第４実施形態では、既存の汎用の眼鏡のレンズ４００の後方側（Ｚ１側）に、第１調光部材２１を粘着剤又は接着剤で形成された貼合層４０１で貼合して固定し、第１調光部材２１の後方側（Ｚ１側）に密着層４０２を設けて、第１調光部材２１に対して第２調光部材３１を左右方向（Ｘ方向）に相対的にスライド可能に積層している。この貼合層４０１から第２調光部材３１までを調光ユニット４２０とする。
【００５１】
本実施形態では、第２調光部材３１は、凸部３６等を備えず、着用者は、例えば、眼鏡４の内側から指等で第２調光部材３１を左右方向にスライドさせ、第１調光部材２１と第２調光部材３１との相対位置を変化させることにより、眼鏡１（透光部１５）の透過光量を調整する。
密着層４０２は、例えば、液状の潤滑剤、貼り剥がし可能な微粘着のシリコーン系粘着剤、アクリル系粘着剤等を用いることができる。
【００５２】
本実施形態によれば、第１実施形態に示した効果に加え、安価でかつ軽量な調光機能を既存の眼鏡に付与することができる。また、使用環境や着用者の気分に応じて、調光機能を簡便に付け替えることができる。
【００５３】
（変形形態）
以上説明した各実施形態に限定されることなく、種々の変形や変更が可能であって、それらも本発明の範囲内である。
【００５４】
（１）各実施形態において、第２調光部材３１をスライドさせて光量を調整する例を示したが、これに限らず、第１調光部材２１をスライド可能な形態とし、第１調光部材２１をスライドさせて光量を調整する形態としてもよい。
また、各実施形態において、第２調光部材３１のスライド方向は、左右方向（Ｘ方向）である例を示したが、これに限らず、上下方向（Ｙ方向）にスライド可能な形態としてもよい。この場合、各位相差層の調光領域Ａ及び領域Ｂは、左右方向を長手方向とし、上下方向に配列される形態となる。
【００５５】
（２）各実施形態において、調光領域Ａは、多階調に変化する領域Ｂを備える例を示したがこれに限らず、遅相軸が異なる２つの領域Ｂによって調光領域Ａが構成され、第１位相差層２４及び第２位相差層３４が透過光に対して付与する位相差がλ／４である形態としてもよい。
このような形態とするとき、例えば、調光領域Ａを構成する２つの領域Ｂは、第２偏光層３３の透過軸に対して、時計方向及び反時計方向にそれぞれ４５°をなす遅相軸を備える形態とすることができる。そして、第２調光部材３１をスライドさせて第１調光部材との相対位置を変化させて、明状態と暗状態とを切り替えることができる。このとき、第１位相差層２４の領域Ｂの遅相軸とこれに対応する第２位相差層３４の領域Ｂの遅相軸とが一致している場合には、眼鏡１の透光部１５を明状態とすることができ、第１位相差層２４の領域Ｂの遅相軸とこれに対応する第２位相差層３４の領域Ｂの遅相軸とが逆光軸の関係となる場合には、透光部１５を暗状態とすることができる。
【００５６】
（３）各実施形態において、暗状態では、外部の観察者からは、透光部１５が黒く観察される例を示したが、これに限らず、各位相差層の液晶材料の反射する波長域等を調整する等して、黄色や紫色等、所望の色で観察される形態としてもよい。
また、この場合、図４に記載の第１偏光層２３及び第２偏光層３３の透過軸を平行に配置することでも色味を変更することが可能である。
【００５７】
（４）各実施形態において、第２調光部材３１は、透光部１５の開口を覆うように設けられる例を示したが、これに限らず、例えば、透光部１５の上側（Ｙ１側）半分の領域のみに設けられる形態としてもよい。この場合、第２調光部材３１のスライド方向は、左右方向（Ｘ方向）としてもよいが、上下方向（Ｙ方向）とする方が、明状態から暗状態への変化時の透光部１５の色味の見えが自然となり、外観が良好となるので好ましい。
【００５８】
（５）各実施形態において、各調光部材における調光領域Ａが備える領域Ｂの数は、例えば、２段階や、３段階等としてもよいし、適宜選択してよい。また、各実施形態において、各位相差層ではなく各偏光層の透過軸を２段階や３段階、それ以上の数の段階としてパターンニングしてもよい。
【００５９】
（６）各実施形態において、透光部１５を構成する各部材が平面状である例を示したが、これに限らず、例えば、左右方向中央部が前方側に凸となる曲面状等としてもよい。
【００６０】
なお、上述の各実施形態及び変形形態は、適宜組み合わせて用いることもできるが、詳細な説明は省略する。また、本発明は、以上説明した各実施形態によって限定されることはない。
【符号の説明】
【００６１】
１，２，３，４    眼鏡
１０    フレーム
１１    フロント部
１５    透光部
２１    第１調光部材
２２    第１透明基材
２３    第１偏光層
２４    第１位相差層
３１    第２調光部材
３２    第２透明基材
３３    第２偏光層
３４    第２位相差層
Ａ    調光領域
Ｂ    領域
【図１】
2019133034.tif 000003
【図２】
2019133034.tif 000004
【図３】
2019133034.tif 000005
【図４】
2019133034.tif 000006
【図５】
2019133034.tif 000007
【図６】
2019133034.tif 000008
【図７】
2019133034.tif 000009
【図８】
2019133034.tif 000010
【図９】
2019133034.tif 000011
【図１０】
2019133034.tif 000012